【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
無線ネットワークに接続する設定に使用する設定情報と、前記設定情報に対応する画像ファイルとを記憶する記憶部と、
前記設定情報に対応する前記画像ファイルを生成する生成部と、
メモリとの入出力を行うメモリインターフェイスを有する機器から、前記画像ファイルに対する処理の指示を示す指示情報が入力されるインターフェイス部と、
前記インターフェイス部に入力された前記指示情報に基づいて、前記記憶部に記憶されている前記画像ファイルに対して処理を行う処理部と、
無線通信を行う通信部と、
前記記憶部に記憶されている前記設定情報のうち、前記処理部によって処理が行われた前記画像ファイルに対応する前記設定情報に基づいてネットワーク設定を行う設定部と、
を有するメモリ。
【請求項２】
前記記憶部はさらに、タイムスタンプが設定されたコンテンツデータを記憶し、
前記生成部はさらに、前記コンテンツデータのタイムスタンプに基づいて、生成した前記画像ファイルにタイムスタンプを設定する請求項１に記載のメモリ。
【請求項３】
前記生成部は、前記画像ファイルのタイムスタンプが前記コンテンツデータのタイムスタンプよりも時間的に前となるように前記画像ファイルにタイムスタンプを設定する請求項２に記載のメモリ。
【請求項４】
前記設定情報にはさらに優先度が設定されており、
前記生成部はさらに、前記設定情報の前記優先度に基づいて、生成した前記画像ファイルにタイムスタンプを設定する請求項１に記載のメモリ。
【請求項５】
前記設定情報に対応する無線ネットワークに接続可能か否かを判定する判定部をさらに有し、
前記生成部は、前記判定部によって接続可能と判定された無線ネットワークに対応する前記設定情報のみに対応する前記画像ファイルを生成する請求項１に記載のメモリ。
【請求項６】
前記指示情報が、画像の閲覧のために前記画像ファイルを前記機器へ出力する処理の指示を示している場合に、前記設定部は、前記記憶部に記憶されている前記設定情報のうち、前記機器へ出力された前記画像ファイルに対応する前記設定情報に基づいてネットワーク設定を行う請求項１に記載のメモリ。
【請求項７】
メモリとの入出力を行うメモリインターフェイスを有する機器から、無線ネットワークに接続する設定に使用する設定情報と、前記設定情報に対応した画像ファイルと、前記画像ファイルに対する処理の指示を示す指示情報とが入力されるインターフェイス部と、
前記インターフェイス部に入力された前記設定情報および前記画像ファイルを記憶する記憶部と、
前記インターフェイス部に入力された前記指示情報に基づいて、前記記憶部に記憶されている前記画像ファイルに対して処理を行う処理部と、
無線通信を行う通信部と、
前記記憶部に記憶されている前記設定情報のうち、前記処理部によって処理が行われた前記画像ファイルに対応する前記設定情報に基づいてネットワーク設定を行う設定部と、
を有するメモリ。
【請求項８】
無線ネットワークに接続する設定に使用する設定情報を記憶する記憶部と、
前記記憶部に記憶されている前記設定情報に対応する画像ファイルを生成する生成部と、
無線通信機能を有するメモリに対して、前記記憶部に記憶されている前記設定情報と、前記生成部によって生成された前記画像ファイルとを記録する記録部と、
を有する画像生成装置。
【請求項９】
前記記憶部はさらに、タイムスタンプが設定されたコンテンツデータを記憶し、
前記生成部はさらに、前記コンテンツデータのタイムスタンプに基づいて、生成した前記画像ファイルにタイムスタンプを設定する請求項８に記載の画像生成装置。
【請求項１０】
前記生成部は、前記画像ファイルのタイムスタンプが前記コンテンツデータのタイムスタンプよりも時間的に前となるように前記画像ファイルにタイムスタンプを設定する請求項９に記載の画像生成装置。
【請求項１１】
前記設定情報にはさらに優先度が設定されており、
前記生成部はさらに、前記設定情報の前記優先度に基づいて、生成した前記画像ファイルにタイムスタンプを設定する請求項８に記載の画像生成装置。
【請求項１２】
無線ネットワークに接続する設定に使用する設定情報と、前記設定情報に対応する画像ファイルとが記憶される記憶ステップと、
前記設定情報に対応する前記画像ファイルが生成される生成ステップと、
前記画像ファイルに対する処理の指示を示す指示情報が入力される入力ステップと、
前記入力ステップで入力された前記指示情報に基づいて、前記記憶ステップで記憶された前記画像ファイルに対して処理が行われる処理ステップと、
前記記憶ステップで記憶された前記設定情報のうち、前記処理ステップで処理が行われた前記画像ファイルに対応する前記設定情報に基づいてネットワーク設定が行われる設定ステップと、
を有するネットワーク設定方法。
【請求項１３】
無線ネットワークに接続する設定に使用する設定情報と、前記設定情報に対応した画像ファイルと、前記画像ファイルに対する処理の指示を示す指示情報とが入力される入力ステップと、
前記入力ステップで入力された前記設定情報および前記画像ファイルが記憶される記憶ステップと、
前記入力ステップで入力された前記指示情報に基づいて、前記記憶ステップで記憶された前記画像ファイルに対して処理が行われる処理ステップと、
前記記憶ステップで記憶された前記設定情報のうち、前記処理ステップで処理が行われた前記画像ファイルに対応する前記設定情報に基づいてネットワーク設定が行われる設定ステップと、
を有するネットワーク設定方法。
【請求項１４】
無線ネットワークに接続する設定に使用する設定情報が記憶される記憶ステップと、
前記記憶ステップで記憶された前記設定情報に対応する画像ファイルが生成される生成ステップと、
無線通信機能を有するメモリに、前記記憶ステップで記憶された前記設定情報と、前記生成ステップで生成された前記画像ファイルとが記録される記録ステップと、
を有するネットワーク設定情報記録方法。
【手続補正２】
【補正対象書類名】明細書
【補正対象項目名】発明の名称
【補正方法】変更
【補正の内容】
【発明の名称】メモリ、画像生成装置、ネットワーク設定方法、およびネットワーク設定情報記録方法
【手続補正３】
【補正対象書類名】明細書
【補正対象項目名】０００１
【補正方法】変更
【補正の内容】
【０００１】
本発明は、画像ファイルを記憶するメモリ、および画像ファイルを生成する画像生成装置に関する。また、本発明は、ネットワーク設定方法およびネットワーク設定情報記録方法に関する。
【手続補正４】
【補正対象書類名】明細書
【補正対象項目名】０００６
【補正方法】変更
【補正の内容】
【０００６】
本発明は、上述した課題に鑑みてなされたものであって、無線ネットワークに接続する設定を容易に行うことができるメモリおよびネットワーク設定方法を提供することを目的とする。また、本発明は、通信機能を有するメモリに対して、無線ネットワークに接続する設定を容易に行うための情報を記録することができる画像生成装置およびネットワーク設定情報記録方法を提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】００１３
【補正方法】変更
【補正の内容】
【００１３】
また、本発明のメモリにおいて、前記指示情報が、画像の閲覧のために前記画像ファイルを前記機器へ出力する処理の指示を示している場合に、前記設定部は、前記記憶部に記憶されている前記設定情報のうち、前記機器へ出力された前記画像ファイルに対応する前記設定情報に基づいてネットワーク設定を行う。
また、本発明は、メモリとの入出力を行うメモリインターフェイスを有する機器から、無線ネットワークに接続する設定に使用する設定情報と、前記設定情報に対応した画像ファイルと、前記画像ファイルに対する処理の指示を示す指示情報とが入力されるインターフェイス部と、前記インターフェイス部に入力された前記設定情報および前記画像ファイルを記憶する記憶部と、前記インターフェイス部に入力された前記指示情報に基づいて、前記記憶部に記憶されている前記画像ファイルに対して処理を行う処理部と、無線通信を行う通信部と、前記記憶部に記憶されている前記設定情報のうち、前記処理部によって処理が行われた前記画像ファイルに対応する前記設定情報に基づいてネットワーク設定を行う設定部と、を有するメモリである。
【手続補正７】
【補正対象書類名】明細書
【補正対象項目名】００１７
【補正方法】変更
【補正の内容】
【００１７】
また、本発明の画像生成装置において、前記設定情報にはさらに優先度が設定されており、前記生成部はさらに、前記設定情報の前記優先度に基づいて、生成した前記画像ファイルにタイムスタンプを設定する。
また、本発明は、無線ネットワークに接続する設定に使用する設定情報と、前記設定情報に対応する画像ファイルとが記憶される記憶ステップと、前記設定情報に対応する前記画像ファイルが生成される生成ステップと、前記画像ファイルに対する処理の指示を示す指示情報が入力される入力ステップと、前記入力ステップで入力された前記指示情報に基づいて、前記記憶ステップで記憶された前記画像ファイルに対して処理が行われる処理ステップと、前記記憶ステップで記憶された前記設定情報のうち、前記処理ステップで処理が行われた前記画像ファイルに対応する前記設定情報に基づいてネットワーク設定が行われる設定ステップと、を有するネットワーク設定方法である。
また、本発明は、無線ネットワークに接続する設定に使用する設定情報と、前記設定情報に対応した画像ファイルと、前記画像ファイルに対する処理の指示を示す指示情報とが入力される入力ステップと、前記入力ステップで入力された前記設定情報および前記画像ファイルが記憶される記憶ステップと、前記入力ステップで入力された前記指示情報に基づいて、前記記憶ステップで記憶された前記画像ファイルに対して処理が行われる処理ステップと、前記記憶ステップで記憶された前記設定情報のうち、前記処理ステップで処理が行われた前記画像ファイルに対応する前記設定情報に基づいてネットワーク設定が行われる設定ステップと、を有するネットワーク設定方法である。
また、本発明は、無線ネットワークに接続する設定に使用する設定情報が記憶される記憶ステップと、前記記憶ステップで記憶された前記設定情報に対応する画像ファイルが生成される生成ステップと、無線通信機能を有するメモリに、前記記憶ステップで記憶された前記設定情報と、前記生成ステップで生成された前記画像ファイルとが記録される記録ステップと、を有するネットワーク設定情報記録方法である。
【手続補正８】
【補正対象書類名】明細書
【補正対象項目名】００１８
【補正方法】変更
【補正の内容】
【００１８】
本発明のメモリおよびネットワーク設定方法によれば、メモリインターフェイスを有する機器から入力された指示情報に基づいて処理された画像ファイルに対応する設定情報に基づいてネットワーク設定を行うことによって、無線ネットワークに接続する設定を容易に行うことができる。
【手続補正９】
【補正対象書類名】明細書
【補正対象項目名】００１９
【補正方法】変更
【補正の内容】
【００１９】
また、本発明の画像生成装置およびネットワーク設定情報記録方法によれば、無線通信機能を有するメモリに対して、設定情報と、この設定情報に対応する画像ファイルとを記録することによって、無線ネットワークに接続する設定を容易に行うための情報をメモリに記録することができる。